(57)【要約】【課題】  遊技の際の操作性を向上させる。【解決手段】  操作ハンドル８を、ハンドルベース２６、リングホルダ２７、フェイスカバー２８から構成する。ハンドルベース２６とフェイスカバー２８とを、リングホルダ２７を回動自在に挟み込んだ状態で固定する。リングホルダ２７を、ねじりバネ４１により基準位置に付勢する。ハンドルベース２６の外周部に、ハンドル固定板３３を回動自在に取り付ける。ハンドル固定板３５を、ねじりバネ３５により解除位置に付勢する。軸部２７ｂの外周部に、リングギア２７ｏを形成する。ＣＰＵ１５ａは、発射装置１７を駆動して、リングホルダ２７の回動量に応じた打ち出し強さでパチンコ球７を遊技盤４面上に打ち出す。遊技者が、ハンドル固定板３３を回動すると、噛合ギア部３３ｂがリングギア２７ｏのギアの歯に噛合する。これにより、リングホルダ２７を回動不能に固定する。【選択図】        図１６
2005125003.tif 000002
【特許請求の範囲】
【請求項１】
遊技領域に向けて遊技媒体を打ち出す発射装置と、変位が可能であって非変位状態である基準位置から変位した量に応じて前記発射装置による前記遊技媒体の打ち出し強さを調整する打出調整部及び前記打出調整部を前記基準位置に向けて付勢する打出付勢部を有し、前記発射装置に前記遊技媒体を打ち出させる発射作動装置とを備えた弾球遊技機において、
前記発射作動装置は、前記打出調整部に設けられた固定部に接触して当該打出調整部を変位した位置で固定する接触位置と前記固定部との接触を解除する解除位置との間で移動する移動部を備えたことを特徴とする弾球遊技機。
【請求項２】
前記発射作動装置は、前記移動部を前記解除位置に向けて付勢する移動付勢部を備えたことを特徴とする請求項１記載の弾球遊技機。
【請求項３】
前記移動部は、前記移動部を前記接触位置に移動した際に前記固定部に接触する接触部を備え、前記接触部と前記固定部とのいずれか一方に凸部を、他方に前記凸部に噛合する凹部を設けたことを特徴とする請求項１または２記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
現在、遊技場に設置されるパチンコ機には、前面に操作ハンドルが設けられている。この操作ハンドルには、リングホルダが回動可能に設けられており、このリングホルダを回動させると、その回動が伝達部を介して球発射装置に伝わり、球発射装置によりパチンコ球が遊技領域に打ち出される。遊技を行う際には、遊技者は、一方の手でリングホルダを所定量回動させて、パチンコ球を遊技領域へ打ち出している。このリングホルダは、その回動量に比例してパチンコ球の打ち出し強さが変化するようになっている。このため、遊技者は、意図する打ち出し強さとなるようにリングホルダの回動量を調整している。
【発明の開示】
【発明が解決しようとする課題】
【０００３】
しかしながら、この操作ハンドルの場合、リングホルダは、パチンコ球が打ち出されない状態である基準位置へ戻る方向にバネによって付勢されている。このため、意図する打ち出し強さを維持するために、回動させたリングホルダをバネの付勢力に抗して一定の位置に保持することは、特に長時間遊技を行う遊技者にとっては、手に負担がかかるものとなる。この場合、例えば一旦リングホルダから手を離した後に遊技を再開するということが考えられるが、一旦リングホルダを離すと、リングホルダは、球発射装置によりパチンコ球が打ち出されない状態である基準位置に戻ってしまうため、再度リングホルダを回動させて打ち出し強さを調整する必要があり、遊技の際の操作性が悪かった。
【０００４】
本発明は、上記課題を解決するためになされたものであり、遊技の際の操作性を向上させることができる弾球遊技機を提供することを目的とする。
【課題を解決するための手段】
【０００５】
上記目的を達成するために、本発明の弾球遊技機は、遊技領域に向けて遊技媒体を打ち出す発射装置と、変位が可能であって非変位状態である基準位置から変位した量に応じて前記発射装置による前記遊技媒体の打ち出し強さを調整する打出調整部及び前記打出調整部を前記基準位置に向けて付勢する打出付勢部を有し、前記発射装置に前記遊技媒体を打ち出させる発射作動装置とを備えた弾球遊技機において、前記発射作動装置は、前記打出調整部に設けられた固定部に接触して当該打出調整部を変位した位置で固定する接触位置と前記固定部との接触を解除する解除位置との間で移動する移動部を備えたことを特徴とする。
【０００６】
なお、前記発射作動装置は、前記移動部を前記解除位置に向けて付勢する移動付勢部を備えることが好ましい。また、前記移動部は、前記移動部を前記接触位置に移動した際に前記固定部に接触する接触部を備え、前記接触部と前記固定部とのいずれか一方に凸部を、他方に前記凸部に噛合する凹部を設けることが好ましい。
【発明の効果】
【０００７】
本発明の弾球遊技機によれば、遊技領域に向けて遊技媒体を打ち出す発射装置と、変位が可能であって非変位状態である基準位置から変位した量に応じて発射装置による遊技媒体の打ち出し強さを調整する打出調整部及び打出調整部を基準位置に向けて付勢する打出付勢部を有し、発射装置に遊技媒体を打ち出させる発射作動装置とを備え、発射作動装置は、打出調整部に設けられた固定部に接触して当該打出調整部を変位した位置で固定する接触位置と固定部との接触を解除する解除位置との間で移動する移動部を備えるから、移動部を接触位置に移動すると、打出調整部を基準位置に向けて付勢する付勢部の付勢に抗して、打出調整部を変位した位置で固定することができるため、遊技者は、意図する打ち出し強さのときに打出調整部を固定することにより、打出調整部を基準位置に向けて付勢する付勢部の付勢に抗して打出調整部の位置を維持する力を要せずに、意図する打ち出し強さを維持して遊技媒体を遊技領域に打ち出すことができるから、遊技者の手にかかる負担を軽減することができ、遊技の際の操作性を向上させることができる。
【０００８】
さらに、発射作動装置は、移動部を解除位置に向けて付勢する移動付勢部を備えたから、移動部は、通常時には移動付勢部の付勢により解除位置に位置するため、遊技者が移動部を接触位置に移動しない限り、移動部を解除位置に位置することができる。
【０００９】
また、移動部は、移動部を接触位置に移動した際に固定部に接触する接触部を備え、接触部と固定部とのいずれか一方に凸部を、他方に凸部に噛合する凹部を設けたから、移動部を接触位置に移動して、接触部と固定部とのいずれか一方に設けられた凸部を他方に設けられた凹部に噛合するだけで、打出調整部を基準位置に向けて付勢する打出付勢部の付勢に抗して、打出調整部を変位した位置で固定することができるため、容易に打出調整部を固定することができる。
【発明を実施するための最良の形態】
【００１０】
図１に本発明を用いた弾球遊技機の１実施例であるパチンコ機の外観を示す。パチンコ機２の本体基部となる本体枠３の内部には遊技盤４が配設されており、遊技盤４の前面には前面枠５が本体枠３に対して開閉自在に設けられている。前面枠５の下方には、打球供給用の供給皿６が設けられ、この供給皿６の下方であり、前面枠５の右側部には、パチンコ球（遊技媒体）７の打ち出し強さを調節する操作ハンドル（発射作動装置）８が設けられている。遊技盤４のパチンコ球７が打ち出される遊技領域４ａの略中央には、予め定められた入賞口へパチンコ球を入賞させるなどの所定入賞条件に基づいて遊技中に様々な図柄を液晶画面に所定時間内において変動表示させた後に停止表示させる図柄可変表示装置９が配置され、その周りには始動入賞口１０、通常入賞口１１、アタッカ１２、アウト口１３が設けられている。各入賞口１０〜１２内には、各入賞口１０〜１２に入ったパチンコ球７を検知する入賞球検知センサ１４（図１５参照）が設けられている。遊技者は、供給皿６にパチンコ球７を投入してパチンコ球７を供給皿６内に設けられた誘導路を介して後述する球発射装置（発射装置）１７へと導き、回動式の操作ハンドル８を所定量回動して球発射装置１７の駆動を制御することで、遊技盤４の遊技領域４ａの上方に向けてパチンコ球７を打ち出す。打ち出されたパチンコ球７は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。
【００１１】
なお、前面枠５が閉じているロック状態であるときには、遊技者や遊技場の作業者は、前面枠５に板状のガラスが装着されて形成されたガラス窓１９を通して遊技盤４の遊技領域４ａを流下していく遊技球を見ることはできるが、遊技盤４にはもちろんのこと本体枠３の内部にも触れることができないようになっている。
【００１２】
図２にパチンコ機の背面側の外観を示す。パチンコ機２の本体枠３には、本体枠３の内部に設けられた支持部材を介して、遊技を行う際に後述する音声発生装置２１等の各種装置を作動させるための主制御を行う主制御回路装置（主制御回路基板）１５の他に、副制御回路装置（副制御回路基板）１６、球発射装置１７、球払出装置１８等がそれぞれ組み付けられている。これら制御回路装置及び装置は、図示しないケーブル等を介して電気的に接続されている。また、本体枠３の内部にはスピーカーなどの音声発生装置２１（図１５参照）や、本体枠３及び遊技盤４上の様々な位置にランプ２２（図１５参照）が設けられており、音声発生装置２１から演出効果を持たせた音声を発生させたり、ランプ２２の点灯制御によって演出効果を出すといったことを行う。
【００１３】
図３及び図４に示すように、操作ハンドル８は、ハンドルベース２６、リングホルダ（打出調整部）２７、フェイスカバー２８から構成され、詳しくは後述するように、ハンドルベース２６とフェイスカバー２８とは、リングホルダ２７を回動自在に挟み込んだ状態で固定されている。ハンドルベース２６は、前面枠５の所定部材に取り付けられる。
【００１４】
図５及び図６に示すように、ハンドルベース２６は、有底円筒状の本体部２６ａとこの本体部２６ａの底面の外側面に一体に形成された円筒状の軸部２６ｂとからなり、本体部２６ａの内部には、打出強さ調整用ボリューム３０、第１調整ギア３１、第２調整ギア３２が取り付けられる。本体部２６ａの外周部には、ハンドル固定板（移動部）３３が回動可能に取り付けられる。本体部２６ａの内部には、フェイスカバー２８を取り付けるための円筒状の第１〜第３カバー取付ボス２６ｃ〜２６ｅ、後述するねじりバネ（打出付勢部）４１の第１腕部４１ｂの先端部を固定するための円柱状のバネ固定ボス２６ｆ、後述する第１調整ギア３１の挿入部３１ｂを挿入するための第１取付孔２６ｇ、後述する打出強さ調整用ボリューム３０の軸３０ｃ及びネジ部３０ｂを挿通するためのボリューム挿通孔２６ｈが形成されており、本体部２６ａの外周部の左側の下部には、ハンドル固定板３３を取り付け用るための固定板取付部２６ｉが形成されている。第１〜第３カバー取付ボス２６ｃ〜２６ｅには、それぞれフェイスカバー２８の第１〜第３ベース取付ボス２８ａ〜２８ｃを挿入するための位置決め凹部２６ｊが形成され、位置決め凹部２６ｊの底面部にはフェイスカバー２８を取り付けるためのカバー取付孔２６ｋが形成されている。バネ固定ボス２６ｆには、ねじりバネ４１の第１腕部４１ｂの先端部を固定するためのバネ固定孔２６ｌと、ねじりバネ４１の第１腕部４１ｂの回転を防止するための凸状の回転防止凸部２６ｍとが形成されている。本体部２６ａの外周部の左側の下部には、固定板取付部２６ｉに取り付けられたハンドル固定板３３を回動する際にハンドル固定板３３の噛合ギア部３３ｂを挿通するための挿通孔２６ｎが形成されている。
【００１５】
打出強さ調整用ボリューム３０は、板状のベース３０ａと、ネジ切りされたネジ部３０ｂと、円柱状の軸３０ｃとからなり、軸３０ｃはベース３０ａに回動可能に設けられている。ベース３０ａは、その幅がハンドルベース２６のボリューム挿通孔２６ｈの径よりも大きい形状で形成されており、このベース３０ａによりボリューム挿通孔２６ｈに軸３０ｃ及びネジ部３０ｂを挿通した後に抜けなくしている。ボリューム挿通孔２６ｈにハンドルベース２６の裏側（図３中右側）から軸３０ｃ及びネジ部３０ｂを挿通させ、ネジ部３０ｂにナット３６をハンドルベース２６の表側から締め付けると、打出強さ調整用ボリューム３０は、ハンドルベース２６に固定される（図３参照）。軸３０ｃは後端部側が円形状に形成され、略中心部でその形状が変わり、先端部側は略Ｄ字形状に形成されている。
【００１６】
第２調整ギア３２には、軸３０ｃを挿入するための凹状の挿入凹部３２ａが形成されており、この挿入凹部３２ａは、第２調整ギア３２を回動する際の回動中心となる。挿入凹部３２ａは、入口部側は円形状に形成され、略中心部でその形状が変わり、底面部側は略Ｄ字形状に形成されている。ハンドルベース２６に固定された打出強さ調整用ボリューム３０の軸３０ｃに第２調整ギア３２の挿入凹部３２ａを挿入する。軸３０ｃと挿入凹部３２ａとの略Ｄ字形状部同士を位置合わせして軸３０ｃの先端部に挿入凹部３２ａを挿入することにより、第２調整ギア３２と打出強さ調整用ボリューム３０とが位置決めされるとともに、第２調整ギア３２は打出強さ調整用ボリューム３０に固定され、第２調整ギア３２の回動により、打出強さ調整用ボリューム３０の軸３０ｃが回動される状態となる。打出強さ調整用ボリューム３０は、後述する主制御回路装置１５内の回動量演算部５１に接続されている（図１５参照）。打出強さ調整用ボリューム３０は、軸３０ｃの回動量に応じた回動量信号を回動量演算部５１に送る。
【００１７】
第１調整ギア３１には、後述する接触検知ワイヤ４４を挿通するための挿通孔３１ａが形成され、後端部にはハンドルベース２６の第１取付孔２６ｇに挿入するための円筒状の挿入部３１ｂが、先端部には後述するリングホルダ２７の係合孔２７ｈに挿入するための円柱状の係合ボス３１ｃがそれぞれ形成されている。挿通孔３１ａは、第１調整ギア３１を回動する際の回動中心となり、係合ボス３１ｃは、挿通孔３１ａを中心に１８０°の間隔で２個形成されている。挿入部３１ｂをハンドルベース２６の第１取付孔２６ｇに挿入すると、第１調整ギア３１と第２調整ギア３２とが噛合した状態となる。第１調整ギア３１と第２調整ギア３２とは、それぞれ略１８０°の範囲で複数のギアの歯が形成されており、挿入部３１ｂを第１取付孔２６ｇに挿入して、第１調整ギア３１と第２調整ギア３２とを噛合するときに、複数のギアの歯のどのギアの歯を噛合するかにより、第１調整ギア３１及び第２調整ギア３２の回動可能な角度が変化する。そこで、第１調整ギア３１を回動したときに、第１調整ギア３１のギアの歯が最も大きな回動角度の範囲で第２調整ギア３２のギアの歯と噛合するように、第１調整ギア３１と第２調整ギア３２とを位置合わせした状態で噛合する。そして、噛合した状態で、図６に示すように、第１調整ギア３１を反時計方向に第２調整ギア３２と噛合する最端部まで回動する。第１調整ギア３１と第２調整ギア３２とがこの位置のときに、係合ボス３１ｃを後述するリングホルダ２７の係合孔２７ｈに挿入すると、リングホルダ２７は基準位置（図１４（Ａ）参照）に位置されるとともに、このときの打出強さ調整用ボリューム３０の軸３０ｃの回動位置が基準回動位置（回動量＝ゼロ）とされる。
【００１８】
図７に示すように、ハンドルベース２６の固定板取付部２６ｉには、ハンドル固定板３３が取り付けられる。固定板取付部２６ｉは、板状の第１取付リブ２６ｏ、板状の第２取付リブ２６ｐから構成され、第１取付リブ２６ｏはハンドル固定板３３の噛合ギア部３３ｂを挿通するための挿通孔２６ｎよりも前面側に、第２取付リブ２６ｐは挿通孔２６ｎよりも後面側に形成されている。第１，第２取付リブ２６ｏ，２６ｐには、後述する取付シャフト３７を挿通するための取付孔２６ｑがそれぞれ形成されている。第１取付リブ２６ｏの裏面には、後述するねじりバネ（移動付勢部）３５の第１腕部３５ｂを固定するための凸状の固定ボス２６ｒと、ハンドル固定板３３が反時計方向へ回動された際の受け部となる凸状の受けボス２６ｓとが形成されている。なお、固定板取付部２６ｉを形成する位置は、本体部２６ａの外周部の左側の下部に限定されることなく、リングホルダ２７を回動する際に邪魔にならない位置であれば適宜変更してもよい。
【００１９】
図７に示すように、ねじりバネ（移動付勢部）３５は、コイル状に巻回された中心部３５ａと、この中心部３５ａから外側に直線上に延びる第１腕部３５ｂ及び第２腕部３５ｃとから構成される。
【００２０】
ハンドル固定板３３は、後述するリングホルダ２７のリングギア（固定部）２７ｏに噛合する噛合位置（図１６参照）と、リングギア２７ｏとの噛合を解除する解除位置（図１４参照）との間で回動可能となっており、通常は、ねじりバネ３５により、解除位置に付勢されている。ハンドル固定板３３は、板状の本体部３３ａと、リングギア２７ｏのギアの歯に噛合するためのギアの歯形状の噛合ギア部（接触部）３３ｂとからなり、本体部３３ａには後述する取付シャフト３７を挿通するための取付孔３３ｃが形成されている。取付孔３３ｃは、ハンドル固定板３３を回動する際の回動中心となる。取付シャフト３７を、ハンドルベース２６の第１取付リブ２６ｏの取付孔２６ｑ、ねじりバネ３５の中心部３５ａ、ハンドル固定板３３の取付孔３３ｃ、ハンドルベース２６の第２取付リブ２６ｐの取付孔２６ｑの順に挿通させると、ハンドル固定板３３は、第１取付リブ２６ｏと第２取付リブ２６ｐとに挟まれた状態で回動可能に取り付けられ、噛合ギア部３３ｂは、ハンドルベース２６の挿通孔２６ｎに挿入される。
【００２１】
本体部３３ａには、ねじりバネ３５の第２腕部３５ｃを固定するための固定ボス３３ｄが形成されている。第１腕部３５ａをハンドルベース２６の固定ボス２６ｒの反時計方向側の面に接触させ、第２腕部３５ｃを時計方向に回転すると、第１腕部３５ｂが時計方向に、第２腕部３５ｃが反時計方向にそれぞれ回転しようとする回転力が発生する。そして、第２腕部３５ｃを固定ボス３３ｄの時計方向側の面に接触させると、第１腕部３５ｂが固定ボス２６ｒに、第２腕部３５ｃが固定ボス３３ｄにそれぞれ係止された状態となり、ねじりバネ３５は固定される。これにより、ハンドル固定板３３は、ねじりバネ３５により解除位置に付勢（反時計方向に回動）される。さらに、本体部３３ａには、係合ボス３３ｅが形成されており、この係合ボス３３ｅが、第１取付リブ２６ｏに形成された受けボス２６ｓに接触することにより、ねじりバネ３５により反時計方向に回動されるハンドル固定板３３の回動が停止し、それ以上反時計方向に回動しないようになっている。ハンドル固定板３３を噛合位置に回動すると、噛合ギア部３３ｂの先端部である歯先部( 凸部）３３ｆは、後述するリングギア２７ｏのギアの歯の歯底部（凹部）２７ｐに噛合する。
【００２２】
図３及び図８〜図１１に示すように、リングホルダ２７は、略円盤状の本体部２７ａとこの本体部２７ａの底面の外側面に一体に形成された円筒状の軸部２７ｂとからなり、導電性の樹脂から構成される。本体部２７ａの外周部には、遊技者が回動する際の把手となる凸状の第１〜第３把手部２７ｃ〜２７ｅが形成されている。リングホルダ２７の内部には、第１，第２カバー取付ボス２６ｃ，２６ｄを挿通するための長孔状の第１挿通孔２７ｆ、第３カバー取付ボス２６ｅを挿通するための長孔状の第２挿通孔２７ｇ、第１調整ギア３１の係合ボス３１ｃを挿入するための係合孔２７ｈ、後述するねじりバネ４１の中心部４１ａに挿入するための円筒状のセンターボス２７ｉ、ねじりバネ４１の第２腕部４１ｃを係止するための断面が略コ字形状である凸状のバネ係止部２７ｊ、後述する接触検知リング４５を取り付けるためのリング取付孔２７ｋ、接触検知リング４５を取り付ける際に位置決めするための位置決めリブ２７ｌが形成されている。センターボス２７ｉは、リングホルダ２７を回動する際の回動中心となり、係合孔２７ｈは、センターボス２７ｉを中心に１８０°の間隔で２個形成されている。センターボス２７ｉの中心軸部には、後述する接触検知ワイヤ４４を挿通するための挿通孔２７ｍが形成されている。センターボス２７ｉには、センターボス２７ｉの中心軸部とリング取付孔２７ｋの中心軸部とを結ぶ線上の部分に接触検知ワイヤ４４を係止するための凹状のワイヤ係止凹部２７ｎが形成されている。軸部２７ｂの外周部には、ハンドル固定板３３の噛合ギア部３３ｂと噛合するためのリングギア（固定部）２７ｏが略半円の範囲で形成されている。後述するように、ハンドルベース２６とリングホルダ２７とを係合した状態では、リングホルダ２７は、基準位置（図１４（Ａ）参照）から最大回動位置（図１４（Ｂ）参照）まで回動する。そのため、リングホルダ２７をその回動範囲内のどの位置に回動したときにも、噛合ギア部３３ｂと噛合することができる範囲で、リングギア２７ｏを形成する。上述したように取り付けられたハンドル固定板３３を噛合位置に回動すると、噛合ギア部３３ｂの歯先部( 凸部）３３ｆが、リングギア２７ｏのギアの歯の谷側部である歯底部（凹部）２７ｐに噛合する。
【００２３】
第１挿通孔２７ｆ、第２挿通孔２７ｇはそれぞれ円弧状の長孔形状をしており、第１挿通孔２７ｆにハンドルベース２６の第１，第２カバー取付ボス２６ｃ，２６ｄを、第２挿通孔２７ｇに第３カバー取付ボス２６ｅをそれぞれ挿通すると、軸部２７ｂがハンドルベース２６の本体部２６ａの内部に挿入するとともに、本体部２７ａの裏面外周部が本体部２６ａの表面外周部に当接し、リングホルダ２７はハンドルベース２６に回動可能な状態で取り付けられる。このようにハンドルベース２６にリングホルダ２７が取り付けられた状態で、ハンドル固定板３３を解除位置から噛合位置へ時計方向に回動すると、噛合凸部３３ａがリングギア２７ｏのギアの歯に噛合する。
【００２４】
図１２〜図１４に示すように、リングホルダ２７の係合孔２７ｈに、ハンドルベース２６に取り付けられた第１調整ギア３１の係合ボス３１ｃを挿入すると、第１挿通孔２７ｆに第１，第２カバー取付ボス２６ｃ，２６ｄが、第２挿通孔２７ｇに第３カバー取付ボス２６ｅがそれぞれ挿通され、ハンドルベース２６とリングホルダ２７とが位置決めされた状態で係合される。これにより、リングホルダ２７は、図１４（Ａ）に示す基準位置から図１４（Ｂ）に示す最大回動位置まで回動自在となるとともに、リングホルダ２７を回動すると、第１調整ギア３１、第２調整ギア３２を介して打出強さ調整用ボリューム３０の軸３０ｃが回動される状態となる。なお、リングホルダ２７を図１４中時計方向に回動させると、パチンコ球７の打ち出し強さが強くなり、図１４（Ｂ）に示す最大回動位置までリングホルダ２７を回動させた場合にパチンコ球７の打ち出し強さが最大となる。また、リングホルダ２７を図１４中反時計方向に回動させるとパチンコ球７の打ち出し強さが弱くなり、図１４（Ａ）に示す基準位置までリングホルダ２７を回動させた場合にパチンコ球７の打ち出しが停止する。なお、ハンドルベース２６には、パチンコ球７の打ち出しを停止させる発射停止ボタン（図示せず）が設けられており、この発射停止ボタンを押圧し続けると、リングホルダ２７の回動位置を維持したままパチンコ球７の打ち出しを停止させることができる。
【００２５】
図１２に示すように、ねじりバネ（打出付勢部）４１は、コイル状に巻回された中心部４１ａと、この中心部４１ａから外側に直線上に延びる第１腕部４１ｂ及び第２腕部４１ｃとから構成されており、第１腕部４１ｂの先端部は略円弧状に曲げ加工されている。ねじりバネ４１の中心部４１ａにリングホルダ２７のセンターボス２７ｉを挿入し、曲げ加工された略円弧状の第１腕部４１ｂの先端部を介して、ビス４２をハンドルベース２６のバネ固定ボス２６ｆに形成されたバネ固定孔２６ｌにビス締めする。この状態では、第２腕部４１ｃは図１４中反時計方向に回転しようとする力が発生する。そこで、第２腕部４１ｃの先端部をリングホルダ２７の断面が略コ字形状である凸状のバネ係止部２７ｊの図１４中時計方向側の面に接触させる。これにより、第２腕部４１ｃは、その図１４中反時計方向に回転しようとする力により、バネ係止部２７ｊに係止された状態となる。また、第１腕部４１ｂを、回転防止凸部２６ｍの図１４中反時計方向側の面に接触させることにより、リングホルダ２７を図１４中時計方向に回動しても、第１腕部４１ｂが回動しないようにしている。このようにねじりバネ４１を取り付けたリングホルダ２７は、ねじりバネ４１によって図１４中反時計方向（基準位置へ戻る方向）に付勢される。
【００２６】
図８に示すように、接触検知ワイヤ４４は、一方が後述する主制御回路装置１５内の接触検知処理部５３に接続されており、他方の先端部には鉄から構成された接触検知リング４５が取り付けられている。接触検知リング４５には、リング孔４５ａが形成されている。図１４に示すように、接触検知リング４５を、第１調整ギア３１の挿通孔３１ａ、リングホルダ２７のセンターボス２７ｉの挿通孔２７ｍにそれぞれ挿通させ、接触検知ワイヤ４４をワイヤ係止凹部２７ｎに挿入し、ビス４７を接触検知リング４５のリング孔４５ａを介してリングホルダ２７のリング取付孔２７ｋにビス締めする。これにより、接触検知ワイヤ４４がリングホルダ２７に係止されるとともに、接触検知リング４５がリングホルダ２７に固定される。遊技者が手で導電性のリングホルダ２７に触れると、リングホルダ２７、接触検知リング４５、接触検知ワイヤ４４を介して接触検知処理部５３に通電されるため、この通電の有無によりリングホルダ２７に遊技者が触れたかどうかを検知することができる。なお、接触検知リング４５は、鉄に限定されることなく、導電性の部材であれば適宜変更してもよい。
【００２７】
図３及び図４に示すように、フェイスカバー２８は、中がくり抜かれた略半球形状をしており、その内部には、ハンドルベース２６の位置決め凹部２６ｊに挿入するための円柱状の第１〜第３ベース取付ボス２８ａ〜２８ｃが形成されている。第１〜第３ベース取付ボス２８ａ〜２８ｃの軸芯部には、ハンドルベース２６の第１〜第３カバー取付ボス２６ｃ〜２６ｅを取り付けるための取付穴２８ｄがそれぞれ形成されている。上述したようにハンドルベース２６とリングホルダ２７とを位置決めして係合した状態で、係合第１〜第３ベース取付ボス２８ａ〜２８ｃを、第１〜第３カバー取付ボス２６ｃ〜２６ｅそれぞれに形成された位置決め凹部２６ｊに挿入し、ハンドルベース２６とフェイスカバー２８との位置決めを行い、ビス４９を、第１カバー取付ボス２６ｃのカバー取付孔２６ｋ（図５参照）を介して、第１ベース取付ボス２８ａの取付穴２８ｄにビス締めする。同様にして、ビス４９を、第２カバー取付ボス２６ｄのカバー取付孔２６ｋを介して、第２ベース取付ボス２８ｂの取付穴２８ｄにビス締めし、ビス４９を、第３カバー取付ボス２６ｅのカバー取付孔２６ｋを介して、第３ベース取付ボス２８ｃの取付穴２８ｄにビス締めする。これにより、ハンドルベース２６とフェイスカバー２８とが、リングホルダ２７を回動自在に挟み込んだ状態で固定される。
【００２８】
図１５に示すように、パチンコ機２の作動は基本的に主制御回路装置１５及び副制御回路装置１６によって管制される。
【００２９】
主制御回路装置１５は、メインＣＰＵ（ｃｅｎｔｒａｌ  ｐｒｏｃｅｓｓｉｎｇ  ｕｎｉｔ）１５ａ及びメインＲＯＭ（ｒｅａｄ  ｏｎｌｙ  ｍｅｍｏｒｙ）１５ｂ及びメインＲＡＭ（ｒａｎｄｏｍ  ａｃｃｅｓｓ  ｍｅｍｏｒｙ）１５ｃ、回動量演算部５１、発射回路５２、接触検知処理部５３から構成されている。メインＣＰＵ１５ａは、入賞球検知センサ１４から入力される入力信号に応じて、メインＲＯＭ１５ｂに記憶されている遊技制御プログラムを読み込んでパチンコ機の遊技状態を制御する命令を生成すると共に、副制御回路装置１６に命令情報を送信して所定の遊技状態となるように実行させる。メインＲＯＭ１５ｂには、遊技制御プログラムおよび乱数生成処理プログラムおよび乱数テーブルなどが所定の領域に格納されており、これらはメインＣＰＵ１５ａによって読み出され、演算処理されるように適宜用いられる。メインＲＡＭ１５ｃは、ワーキングエリアとなっており、遊技において利用されるデータなどの一時的保管や書き換えなどに用いられる。
【００３０】
副制御回路装置１６は、サブＣＰＵ１６ａ及びサブＲＯＭ１６ｂ及びサブＲＡＭ１６ｃから構成されている。サブＣＰＵ１６ａは、サブＲＯＭ１６ｂに格納された副制御装置用制御プログラムを適宜読み出し、主制御回路装置１５から命令情報として入力される制御信号に応じて、副制御用制御プログラムに従って副制御回路装置１６と、図柄可変表示装置９及び音声発生装置２１及びランプ２２との間で制御信号の入出力を行い所定の遊技状態となるようにするための駆動制御を行う。サブＲＡＭ１６ｃはワーキングエリアとなっており、図柄可変表示装置９及び音声発生装置２１及びランプ２２の制御において利用されるデータなどの一時的保管や書き換えなどに用いられる。なお、サブＣＰＵ１６ａにより駆動を制御する装置は、図柄可変表示装置９、音声発生装置２１及びランプ２２に限られず、遊技領域４ａに設けた可動式の入賞装置なども含まれることとする。
【００３１】
メインＣＰＵ１５ａは、入賞球検知センサ１４からの信号が入力されると、メインＲＯＭ１５ｂに記憶されている遊技制御プログラムに基づいて、球払出装置１８を駆動して所定個数の賞球を供給皿６上に払い出す。なお、賞球の個数は、遊技球が入った各入賞口１０〜１２の種類に応じて適宜設定して良い。
【００３２】
上記のように構成されたパチンコ機の作用について説明する。遊技者は、操作ハンドル８のリングホルダ２７を回動して、球発射装置１７によりパチンコ球７を遊技領域４ａに打ち出す。リングホルダ２７を回動すると、第１調整ギア３１、第２調整ギア３２を介して打出強さ調整用ボリューム３０の軸３０ｃが回動される。打出強さ調整用ボリューム３０は、軸３０ｃの回動量に応じた回動量信号を回動量演算部５１に送る。回動量演算部５１は、送られてきた回動量信号に基づき、対応した電圧信号を発射回路５２に送る。遊技者が導電性のリングホルダ２７に触れると、リングホルダ２７、接触検知リング４５、接触検知ワイヤ４４を介して接触検知処理部５３に通電される。接触検知処理部５３は、この通電されたことに基づき、発射回路５２に発射許可信号を送る。発射回路５２は、回動量演算部５１から送られてきた電圧信号と接触検知処理部５３から送られてきた発射許可信号とに基づき、対応した駆動信号をメインＣＰＵ１５ａに送る。メインＣＰＵ１５ａは、送られてきた駆動信号に基づき、発射装置１７を駆動して、リングホルダ２７の回動量に応じた打ち出し強さでパチンコ球７を遊技盤４面上に打ち出す動作制御を行う。
【００３３】
遊技盤４面上にパチンコ球７が打ち出されている状態のときに、図１６に示すように、遊技者が、ハンドル固定板３３を押圧してハンドル固定板３３を解除位置から噛合位置へ時計方向に回動すると、噛合ギア部３３ｂの歯先部３３ｆが、リングギア２７ｏのギアの歯の歯底部２７ｐに噛合し、噛合ギア部３３ｂとリングギア２７ｏのギアの歯とが噛合する。このとき、遊技者が、噛合ギア部３３ｂとリングギア２７ｏのギアの歯との接触抵抗が、リングホルダ２７を基準位置へと戻す方向へ付勢するねじりバネ４１の付勢力よりも大きくなるように、ハンドル固定板３３を押圧すると、リングホルダ２７が回動不能に固定される。なお、遊技者がハンドル固定板３３の押圧を解除すると、ねじりバネ３５によりハンドル固定板３３が解除位置まで回動する。これにより、リングホルダ２７の固定を解除する。
【００３４】
このように、遊技者が遊技中に、噛合ギア部３３ｂとリングギア２７ｏのギアとの接触抵抗が、リングホルダ２７を基準位置へと戻す方向へ付勢するねじりバネ４１の付勢力よりも大きくなるように、ハンドル固定板３３を押圧し、ハンドル固定板３３を回動して噛合ギア部３３ｂをリングギア２７ｏのギアの歯に噛合すると、リングホルダ２７を回動不能に固定することができるから、リングホルダ２７を初期回動位置へと戻す方向へ付勢するねじりバネ４１の付勢に抗してリングホルダ２７の位置を維持する力が不要となり、ハンドル固定板３３を押圧するだけでリングホルダ２７の位置を維持することができるため、遊技者の手にかかる負担を軽減することができる。
【００３５】
なお、上記実施形態では、ハンドルベース２６にハンドル固定板３３を回動可能に取り付けたが、フェイスカバー２８にハンドル固定板３３を回動可能に取り付けてもよい。
【００３６】
図１７に他の実施形態を示す。上記実施形態のものと同様の構成部材には同一の符号を付し、その詳細な説明を簡略化する。この実施形態では、図１７（Ａ）に示すように、ハンドル固定板６０は、後述するリングホルダ２７に取り付けられた固定板６１に接触する接触位置と、固定板６１との接触を解除する解除位置との間で回動可能となっており、通常は、ねじりバネ３５により、解除位置に付勢されている。ハンドル固定板６０は、板状の本体部６０ａと、固定板６１に接触するための先端が略平面状の接触凸部（接触部）６０ｂとからなる。リングホルダ２７の軸部２７ｂの外周部には、ハンドル固定板６０を接触位置に移動した際に接触凸部６０ｂと接触するゴム製の弓形板状の固定板（固定部）６１が取り付けられている。固定板６１は、リングホルダ２７を回動範囲内のどの位置に回動したときにも、接触凸部６０ｂと接触することができる位置になるように、取り付けられる。遊技者が、ハンドル固定板６０を押圧してハンドル固定板６０を解除位置から接触位置へ時計方向に回動すると、接触凸部６０ｂがリングホルダ２７に取り付けられた固定板６１に接触する。このとき、遊技者が、接触凸部６０ｂと固定板６１との接触抵抗が、リングホルダ２７を基準位置へと戻す方向へ付勢するねじりバネ４１の付勢力よりも大きくなるように、ハンドル固定板６０を押圧すると、リングホルダ２７が回動不能に固定される。なお、遊技者がハンドル固定板６０の押圧を解除すると、ねじりバネ３５によりハンドル固定板６０が解除位置まで回動する。これにより、リングホルダ２７の固定を解除する。なお、固定板６１は、ゴムに限定されることなく、摩擦係数の高い部材であれば適宜変更してもよい。
【００３７】
このように、遊技者が遊技中に、接触凸部６０ｂと固定板６１との接触抵抗が、リングホルダ２７を基準位置へと戻す方向へ付勢するねじりバネ４１の付勢力よりも大きくなるように、ハンドル固定板６０を押圧し、ハンドル固定板６０を回動して接触凸部６０ｂをリングホルダ２７に取り付けられた固定板６１に接触させると、リングホルダ２７を回動不能に固定することができるとともに、摩擦係数の高いゴム製の固定板６１を用いているため、樹脂製のもの等を用いたときに比べて、接触凸部６０ｂと固定板６１との接触抵抗が大きくなるため、リングホルダ２７を回動不能に固定するために必要なハンドル固定板６０を押圧する力を小さくすることができ、遊技者の手にかかる負担を軽減することができる。
【００３８】
なお、上記実施形態では、リングホルダ２７の軸部２７ｂの外周部に摩擦係数の高いゴム製の固定板６１を取り付けたが、ハンドル固定板６０の接触凸部６０ｂの先端面にゴム製の固定板を取り付けてもよい。
【図面の簡単な説明】
【００３９】
【図１】本発明を実施したパチンコ機の外観を示す斜視図である。
【図２】図１に示したパチンコ機の背面側からの外観を示す斜視図である。
【図３】操作ハンドルを示す断面図である。
【図４】操作ハンドルを示す分解斜視図である。
【図５】ハンドルベースと打出強さ調整用ボリュームと第１調整ギアと第２調整ギアとを示す分解斜視図である。
【図６】ハンドルベースと第１調整ギアと第２調整ギアとハンドル固定板とを示す正面図である。
【図７】ハンドルベースとハンドル固定板とねじりバネと取付シャフトとを示す分解斜視図である。
【図８】リングホルダとロックスイッチとねじりバネと接触検知ワイヤと接触検知リングとを示す分解斜視図である。
【図９】リングホルダを示す正面図である。
【図１０】リングホルダの軸部に形成したリングギアを示す斜視図である。
【図１１】リングホルダの軸部に形成したリングギアを示す正面図である。
【図１２】ハンドルベースにリングホルダを係合した状態を示す分解斜視図である。
【図１３】ハンドルベースにリングホルダを係合した状態でのハンドル固定板の周辺を示す斜視図である。
【図１４】ハンドルベースにリングホルダを係合した状態を示す正面図である。
【図１５】図１に示したパチンコ機内部の電気的構成を示す機能ブロック図である。
【図１６】ハンドル固定板を押圧して噛合ギア部をリングホルダのリングギアのギアの歯に噛合した状態を示す正面図である。
【図１７】リングホルダの軸部に固定板を取り付けた実施形態を示す正面図である。
【符号の説明】
【００４０】
２  パチンコ機
３  本体枠
４  遊技盤
７  パチンコ球（遊技媒体）
８  操作ハンドル（発射作動装置）
１５  主制御回路装置
１５ａ  メインＣＰＵ
１５ｂ  メインＲＯＭ
１７  球発射装置（発射装置）
２６  ハンドルベース
２６ｉ  固定板取付部
２７  リングホルダ（打出調整部）
２７ｏ  リングギア（固定部）
２７ｐ  歯底部（凹部）
２８  フェイスカバー
３０  打出強さ調整用ボリューム
３１  第１調整ギア
３２  第２調整ギア
３３  ハンドル固定板（移動部）
３３ａ  本体部
３３ｂ  噛合ギア部（接触部）
３３ｆ  歯先部( 凸部）
３５  ねじりバネ（移動付勢部）
３７  取付シャフト
４１  ねじりバネ（打出付勢部）
４４  接触検知ワイヤ
４５  接触検知リング
５１  回動量演算部
５２  発射回路
５３  接触検知処理部
６０  ハンドル固定板（移動部）
６０ａ  本体部
６０ｂ  接触凸部（接触部）
６１  固定板（固定部）
【図１】
2005125003.tif 000003
【図２】
2005125003.tif 000004
【図３】
2005125003.tif 000005
【図４】
2005125003.tif 000006
【図５】
2005125003.tif 000007
【図６】
2005125003.tif 000008
【図７】
2005125003.tif 000009
【図８】
2005125003.tif 000010
【図９】
2005125003.tif 000011
【図１０】
2005125003.tif 000012
【図１１】
2005125003.tif 000013
【図１２】
2005125003.tif 000014
【図１３】
2005125003.tif 000015
【図１４】
2005125003.tif 000016
【図１５】
2005125003.tif 000017
【図１６】
2005125003.tif 000018
【図１７】
2005125003.tif 000019